(57)【特許請求の範囲】
【請求項１】
厚さ方向へ変形可能な可撓性を備え、円筒状容器(１)の胴部(２)の外周面に貼付されるラベルであって、
裏面に接着層(８)を形成した一端側の貼着部(９)と、これに隣接して裏面が接着性を有せず、上記の胴部（２）の胴径より突出する他端側の非貼着部(10)とからなり、
上記の非貼着部(10)の剛性が上記の貼着部(９)よりも高いことを特徴とする、転動防止ラベル。
【請求項２】
上記の非貼着部(10)の肉厚を貼着部(９)よりも厚くすることで剛性を高くした、請求項１に記載の転動防止ラベル。
【請求項３】
上記の非貼着部(10)へ第２ラベル(７)を貼付することにより、この非貼着部(10)の剛性を高くした、請求項１または請求項２に記載の転動防止ラベル。
【請求項４】
上記の第２ラベル(７)を、粘着力を保持した状態で剥離可能な粘着層(11)により上記の非貼着部(10)の表面へ貼付した、請求項３に記載の転動防止ラベル。
【請求項５】
上記の第２ラベル(７)の周縁部に沿った一部の裏面に、粘着力を有しない非粘着部(12)を形成した、請求項４に記載の転動防止ラベル。
【請求項６】
上記の第２ラベル(７)を、上記の非貼着部(10)の表面に貼付する内側シート(7a)と、この内側シート(7a)の表面に貼付する外側シート(7b)とから構成し、
上記の外側シート(7b)は、粘着力を保持した状態で剥離可能な粘着層(11)により上記の内側シート(7a)へ貼付するとともに、この内側シート(7a)は上記の粘着層(11)よりも高い接着力で上記の非貼着部(10)へ貼付した、請求項３に記載の転動防止ラベル。
【請求項７】
上記の外側シート(7b)の周縁部に沿った一部の裏面に、粘着力を有しない非粘着部(12)を形成した、請求項６に記載の転動防止ラベル。
【請求項８】
円筒状の胴部(２)を備え、この胴部(２)の外周面に上記の請求項１から７のいずれか１項に記載の転動防止ラベルを貼付したことを特徴とする、円筒状容器。
【請求項９】
上記の胴部(２)内に形成された収容部(３)へ医薬品(４)を収容した、請求項８に記載の円筒状容器。
【発明の詳細な説明】
【技術分野】
【０００１】
本発明は転動防止ラベル及びそれを貼付した円筒状容器に関し、さらに詳しくは、円筒状容器がいずれの方向へも転動しないようにし、しかも既存の包装ラインなどで関連装置に引っ掛かることなく容易に取り扱うことができ、安価に実施できる、転動防止ラベルとこれを貼付した円筒状容器に関する。
【背景技術】
【０００２】
医薬品などが充填されたアンプルやバイアル等は、一般に胴部が円筒状であることから、載置された机面が傾斜していると転動し易く、床面に落下して破瓶すると、ガラス片だけでなく収容していた医薬品が周囲に飛散する虞がある。そこで従来、この円筒状容器の転動を防止するためのラベルとして、側縁の一部を胴部へ貼着しない状態で延長し、係止片として胴径よりも突出させて、円筒状容器の回転防止を図ったものがある(例えば、特許文献１参照)。
【０００３】
上記の係止片は、先端が胴部から浮き上がっているため、円筒状容器が係止片の突出方向へ転動しようとすると、その先端が机面などに引っ掛かり、円筒状容器の転動が防止される。しかし円筒状容器が逆方向に転動する場合、上記の係止片は胴部へ貼着される部位と同じ可撓性の材質で形成されており、机面等に押されると容易に胴部へ巻きつくので、転動を防止することが容易でない。このため、上記の従来技術では、上記の係止片を胴部の周囲の双方向に突出させてある。
【０００４】
【特許文献１】特開２００１−２２２２２４号公報
【発明の開示】
【発明が解決しようとする課題】
【０００５】
上記の係止片が胴径よりも突出していると、このラベルを円筒状容器の胴部に貼付して巻き付ける工程をはじめ、円筒状容器を外装ケースへ収納する工程や搬送する工程などにおいて、上記の係止片が関連装置のガイドや外装ケース内の間仕切りなどに引っ掛かる虞がある。この係止片が一方向にのみ突出している場合は、円筒状の容器の搬送方向や回転方向などを考慮することで、上記の係止片を胴部へ強制的に巻き付かせて引っ掛かりの発生を防止することができる。しかしながら、上記の従来技術では、いずれの方向へも転動しないように上記の係止片を双方向に突出させていることから、包装ライン等においてこの係止片の浮き上がりを押える装置や部品が必要となり、設備コストが高価につく問題がある。
【０００６】
本発明の技術的課題は上記の問題点を解消し、円筒状容器がいずれの方向へも転動しないようにし、しかも既存の包装ラインなどで関連装置に引っ掛かることなく容易に取り扱うことができ、安価に実施できる、転動防止ラベル及びそれを貼付した円筒状容器を提供することにある。
【課題を解決するための手段】
【０００７】
本発明は上記の課題を解決するため、例えば本発明の実施の形態を示す図１から図４に基づいて説明すると、次のように構成したものである。
即ち、本発明１は転動防止ラベルに関し、厚さ方向へ変形可能な可撓性を備え、円筒状容器(１)の胴部(２)の外周面に貼付されるラベルであって、裏面に接着層(８)を形成した一端側の貼着部(９)と、これに隣接して裏面が接着性を有せず、上記の胴部（２）の胴径より突出する他端側の非貼着部(10)とからなり、上記の非貼着部(10)の剛性が上記の貼着部(９)よりも高いことを特徴とする。
【０００８】
また本発明２は円筒状容器に関し、円筒状の胴部(２)を備え、この胴部(２)の外周面に上記の本発明１の転動防止ラベルを貼付したことを特徴とする。
【０００９】
上記のラベルは厚さ方向へ変形可能な可撓性を備えており、貼着部は剛性が低く撓み易いうえ、裏面に接着層が形成してあるので、円筒状容器の胴部に沿って容易に変形し、接着層により所定位置へ確実に貼着される。これに対し、非貼着部は裏面が接着性を有せず、胴部から浮き上がって胴径よりも突出する。このため円筒状容器が非貼着部の突出方向へ転動しようとすると、その先端が机面などに引っ掛かり、円筒状容器の転動が防止される。しかもこの非貼着部は剛性が高く撓み難いので確りとしており、円筒状容器が非添着部の突出方向とは逆方向に転動しようとしても、この胴径よりも突出した非貼着部を介して机面などに受け止められ、円筒状容器の転動が防止される。
【００１０】
ここで、上記の非貼着部の剛性とは、円筒状容器が自重などで机面上を転動することが防止できる程度の撓み難さを備えておればよく、包装工程等で関連装置などにより強制的に押圧された場合は、円筒状容器の胴部に沿った形状に変形できる程度の可撓性を備えるように設定される。
【００１１】
上記の非貼着部の剛性は、例えば材質を貼着部と異ならせたり、肉厚を貼着部よりも厚くすることで高めることができ、非添着部へ第２ラベルを貼り付けることにより高めても良い。なお、この第２ラベルは１枚のシートでもよく、複数枚のシートを重ね合わせたものであってもよい。またこの第２ラベルを貼着部よりも剛性の高い材質や肉厚の厚いシートで形成することも可能である。さらにこの第２ラベルは、その一部が貼着部に亙る状態に、非貼着部へ貼り付けてあってもよい。
【００１２】
上記の円筒状容器が、例えばバイアルやアンプルなど、胴部内に形成された収容部へ医薬品を収容している場合には、その医薬品を注射器や輸液容器などに移し替えて使用することがある。そこで上記の第２ラベルは、再貼付可能な粘着剤により、即ち、粘着力を保持した状態で剥離可能な粘着剤により、非貼着部へ貼付すると好ましい。この第２ラベルに上記の医薬品名等を記載しておけば、その医薬品を注射器等へ移し替える際に、この第２ラベルを非貼着部から剥離して注射器等の表面に再貼付することで、その医薬品の移し替えを容易に且つ確実に確認できるからである。
【００１３】
上記の第２ラベルが複数枚のシートからなる場合、この第２ラベルを、上記の非貼着部の表面に貼付する内側シートと、この内側シートの表面に貼付する外側シートとから構成し、上記の外側シートは、粘着力を保持した状態で剥離可能な粘着層により上記の内側シートへ貼付するとともに、この内側シートは上記の粘着層よりも高い接着力で上記の非貼着部へ貼付することができる。このように構成すると、胴部内に収容した医薬品を注射器等へ移し替える際にこの外側シートを剥離して注射器等の表面へ再貼付できるうえ、この外側シートを剥離したのちも内側シートにより非貼着部の剛性を高く保持でき、円筒状容器の転動を良好に防止できるので、好ましい。
【００１４】
上記の再貼付可能な粘着剤により上記の第２ラベルや外側シートを貼付する場合、これら第２ラベル等の周縁部に沿った一部の裏面に、粘着力を有しない非粘着部を形成しておくと、この第２ラベルや外側シートを非貼着部から容易に剥離することができるので、好ましい。なお、この非粘着部は、剥離するために指先で摘まめる程度の大きさがあればよく、過剰に大きくすると円筒状容器の胴径から突出するので、例えば第２ラベルや外側シートの隅部などにできるだけ小形に形成することが好ましい。
【発明の効果】
【００１５】
本発明は上記のように構成され作用することから、次の効果を奏する。
【００１６】
(１)非貼着部は裏面が接着性を有せず、胴部から浮き上がって胴径よりも突出してするので、円筒状容器が非貼着部の突出方向へ転動しようとする場合は、その先端が机面などに引っ掛かることでこの円筒状容器の転動を防止できるうえ、貼着部よりも剛性が高いので、逆方向へ転動しようとする場合は、この非貼着部を介して机面などに円筒状容器を受け止めることでこの円筒状容器の転動を防止することができる。即ち、上記の非貼着部により、円筒状容器がいずれの方向にも転動しないようにすることができる。
【００１７】
(２)しかも、上記の非貼着部は円筒状容器の胴部から一方向のみに突出していることから、包装工程等で関連装置などにより強制的に押圧された場合は、円筒状容器の胴部に沿った形状に変形することができる。この結果、搬送方向等を考慮することにより、既存の包装ラインなどで非貼着部が関連装置に引っ掛かることを防止して容易に取り扱うことができ、安価に実施することができる。
【発明を実施するための最良の形態】
【００１８】
以下、本発明の実施の形態を図面に基づき説明する。
図１から図３は本発明をアンプル用ラベルに適用した場合の第１実施形態を示し、図１はアンプルの胴部に貼付された転動防止ラベルの一部破断斜視図、図２は裏面側から見た転動防止ラベルの一部破断図、図３は転動防止ラベルの作動を示し、図３(ａ)は非貼着部の突出方向への回転が防止された状態のアンプルの断面図、図３(ｂ)は非貼着部の突出と逆方向への回転が防止された状態のアンプルの断面図である。
【００１９】
図１に示すように、この円筒状容器であるアンプル(１)は、胴部(２)内に形成した収容部(３)へ注射剤(４)が収容してあり、その胴部(２)の外周面に転動防止ラベル(５)が貼付してある。この転動防止ラベル(５)は、例えば紙やポリエステル系等の合成樹脂シート、合成紙などで形成されて、表面と垂直な方向、即ち厚さ方向へ変形可能な可撓性を備えており、上記の胴部(２)の外周面に沿って変形されてこの胴部(２)に貼付される。
【００２０】
図２に示すように、上記の転動防止ラベル(５)は大形の主ラベル(６)とその表面に貼付された小形の第２ラベル(７)とからなり、主ラベル(６)は、裏面に接着層(８)を形成した一端側の貼着部(９)と、これに隣接して裏面が接着性を有しない他端側の非貼着部(10)とからなる。従って、この転動防止ラベル(５)を上記のアンプル(１)に貼付した状態では、図１に示すように、主ラベル(６)の一端側の貼着部(９)は上記の胴部(２)に貼付されているが、他端側の非貼着部(10)は先端が胴部(２)から浮き上がって、胴径よりも外側へ突出している。なおこの非貼着部(10)は、最初から接着層を形成しないものであってもよく、或いは一旦接着層を形成してこれに塗料などを塗布する、いわゆる糊殺し処理を施したものであってもよい。
【００２１】
上記の第２ラベル(７)は、上記の主ラベル(６)の非貼着部(10)の表面に貼付してある。このため、この非貼着部(10)の剛性は貼着部(９)よりも高くなっており、従って、この非貼着部(10)は貼着部(９)よりも撓み難くなっている。
【００２２】
なおこの第２ラベル(７)は、上記の主ラベル(６)よりも肉厚を厚くしたり、或いは撓み難い材質で形成してもよい。またこの実施形態では、転動防止ラベル(５)が容易に変形して上記の胴部(２)の外周面へ良好に貼付される範囲内で、第２ラベル(７)の一部が上記の貼着部(９)に亙る状態に非貼着部(10)へ貼付した。しかしながら本発明では、この第２ラベル(７)が上記の非貼着部(10)内へ収まるように形成して、主ラベル(６)へ貼付してもよい。さらに、この実施形態ではこの第２ラベル(７)の上下幅を主ラベル(６)よりも小形に形成したが、本発明では主ラベルと同じ上下幅であってもよい。
【００２３】
上記の第２ラベル(７)の裏面には、粘着力を保持した状態で剥離可能な粘着層(11)が形成してあり、この粘着層(11)は、上記の主ラベル(６)の裏面に形成した接着層(８)よりも粘着力が弱い。また、この第２ラベル(７)の表面には、上記のアンプル(１)に収容された注射剤(４)の名称等が記載してある。従って、上記のアンプル(１)内の注射剤(４)を患者へ投与するため注射器や輸液バッグなどに移し替えた際、この第２ラベル(７)を上記の非貼着部(10)から剥離してその注射器や輸液バッグなどへ再貼付することができ、これにより、その注射剤(４)が移し替えられたことを容易に且つ確実に確認することができる。なお、この第２ラベル(７)の裏面には、粘着力を有しない非粘着部(12)が隅部に形成してあり、この非粘着部(12)を摘まむことにより、この第２ラベル(７)を主ラベル(６)から容易に剥離できるようにしてある。但し、本発明ではこの第２ラベルが非添着部から容易に剥離できる場合は、この非粘着部を省略することも可能である。
【００２４】
次に、上記の転動防止ラベルの作動を、図３に基づいて説明する。
例えば図３(ａ)や図３(ｂ)に示すように、上記のアンプル(１)は水平方向に寝かせて机面(13)などに載置した場合、そのアンプル(１)が転動し易い。このアンプル(１)に貼付した上記の転動防止ラベル(５)は、上記の非貼着部(10)の先端がアンプル(１)の胴部(２)から浮き上がっており、胴径よりも突出している。このため、上記のアンプル(１)がその非貼着部(10)の突出方向へ、即ち図３(ａ)において右回りへ転動しようとした場合は、この図３(ａ)に示すように、非貼着部(10)の先端が机面(13)に突き当たって引っ掛かり、これによりアンプル(１)の転動が防止される。
【００２５】
一方、上記のアンプル(１)が逆方向へ転動しようとした場合、即ち図３(ｂ)において左回りへ転動しようとした場合には、この図３(ｂ)に示すように上記の非貼着部(12)が机面(13)と接する状態になると、この非粘着部(12)は剛性が高く撓み難いので、アンプル(１)の全体がこの非粘着部(12)を介して机面(13)に受け止められ、これによりアンプル(１)の転動が防止される。
【００２６】
図４は本発明の第２実施形態を示し、アンプルの胴部に貼付された転動防止ラベルの一部破断斜視図である。
この第２実施形態では、非貼着部(10)に貼付された第２ラベル(７)が、非貼着部(10)の表面に貼付された内側シート(7a)と、この内側シート(7a)の表面に貼付された外側シート(7b)とからなる。この外側シート(7b)の裏面には、粘着力を保持した状態で剥離可能な粘着層(11)が形成してある。そしてこの粘着層(11)よりも高い接着力で、内側シート(7a)が主ラベル(６)の非貼着部(10)に貼付してあり、主ラベル(６)がアンプル(１)の胴部(２)に貼付してある。
【００２７】
上記の外側シート(7b)の表面には、上記のアンプル(１)に収容された注射剤(４)の名称等が記載してある。また、この外側シート(7b)の裏面の隅部には、粘着力を有しない非粘着部(12)が、指先で摘まめる程度の大きさに形成してある。その他の構成は上記の第１実施形態と同様であり、同様に作用するので説明を省略する。
【００２８】
この第２実施形態では、アンプル(１)内の注射剤(４)を使用する前の状態、即ち外側シート(7b)を剥離していない状態では、上記の第１実施形態と同様に作動し、非貼着部(12)によりアンプル(１)の転動が防止される。
しかも、アンプル(１)内の注射剤(４)を患者へ投与するため注射器や輸液バッグなどに移し替えた際には、上記の外側シート(7b)を内側シート(7a)から剥離してその注射器や輸液バッグなどへ再貼付されるが、上記の非貼着部(10)の剛性は、この外側シート(7b)を剥離したのちも内側シート(7a)により高く保持されている。このため、上記の空になったアンプル(１)は、外側シート(7b)を剥離する前と同様、この非貼着部(12)により転動が良好に防止される。
【００２９】
上記の各実施形態で説明した転動防止ラベルは、本発明の技術的思想を具体化するために例示したものであり、ラベルの形状や大きさ、肉厚、材質等を、この実施形態のものに限定するものではなく、本発明の特許請求の範囲内において種々の変更を加え得るものである。例えば、上記の各実施形態では非貼着部に第２ラベルを貼付することによりその剛性を高めたが、本発明では転動防止ラベルの肉厚や材質を部分的に変化させることで、非貼着部の剛性を高めることも可能である。また、上記の各実施形態では円筒状容器がアンプルである場合について説明したが、バイアルや他の容器にも適用でき、収容部に収容するものは液体に限定されず、また医薬品以外のものであってもよいことは、いうまでもない。
【産業上の利用可能性】
【００３０】
本発明の転動防止ラベルは、円筒状容器がいずれの方向へも転動しないようにし、しかも既存の包装ラインなどで関連装置に引っ掛かることなく容易に取り扱うことができ、安価に実施できるので、アンプルやバイアルなどの、医薬品を収容する円筒状容器のラベルに特に好適であるが、他の円筒状容器の転動防止ラベルにも好適に用いられる。
【図面の簡単な説明】
【００３１】
【図１】本発明の第１実施形態を示す、アンプルの胴部に貼付された転動防止ラベルの一部破断斜視図である。
【図２】裏面側から見た転動防止ラベルの一部破断図である。
【図３】転動防止ラベルの作動を示し、図３(ａ)は非貼着部の突出方向への回転が防止された状態のアンプルの断面図、図３(ｂ)は非貼着部の突出と逆方向への回転が防止された状態のアンプルの断面図である。
【図４】本発明の第２実施形態を示す、アンプルの胴部に貼付された転動防止ラベルの一部破断斜視図である。
【符号の説明】
【００３２】
１…円筒状容器(アンプル)
２…胴部
３…収容部
４…医薬品(注射剤)
５…転動防止ラベル
６…主ラベル
７…第２ラベル
7a…内側シート
7b…外側シート
８…接着層
９…貼着部
10…非貼着部
11…粘着層
12…非粘着部
13…机面
【図１】
0004795814.tif 000002
【図２】
0004795814.tif 000003
【図３】
0004795814.tif 000004
【図４】
0004795814.tif 000005